(57)【特許請求の範囲】
【請求項１】
ＤＳＵ上流側に設置され、ＤＳＵと回線網との接続を "接”あるいは "断”とする接離手段と、
緊急／異常状態を通報するための呼設定メッセージ送出の際に、ＤＳＵとその下流に設置される端末機器とを接続する宅内バスのすべてのＢチャンネルが使用中であれば、前記接離手段を "断”状態としてＤＳＵと回線網との接続をいったん切り離し、所定時間後に前記接離手段を "接”状態としてＤＳＵを回線網に再接続する制御手段と、を具備するＩＳＤＮ端末制御装置。
【請求項２】
緊急／異常状態を通報するための通報装置を含む複数の端末機器が接続される第１のＤＳＵとは別に設置され、通報装置だけが接続される第２のＤＳＵと、
前記第１のＤＳＵ及び前記第２のＤＳＵの上流側に設置され、いづれか一方を選択的に回線網に接続する第１の切替手段と、
前記通報装置を前記第１のＤＳＵもしくは前記第２のＤＳＵのいづれか一方に選択的に接続する第２の切替手段と、
緊急／異常状態を通報するための呼設定メッセージ送出の際に、前記第１のＤＳＵと端末機器とを接続する宅内バスの全Ｂチャンネルが使用中であれば、前記第１の切替手段により前記第２のＤＳＵを回線網に接続し、前記第２の切替手段により前記通報装置を前記第２のＤＳＵに接続する制御手段と、を具備するＩＳＤＮ端末制御装置。
【請求項３】
前記第２の切替手段は、
前記第２のＤＳＵと前記通報装置との接続を切り離す第１の接離手段と、
前記第１のＤＳＵと前記通報装置との接続を切り離す第２の接離手段と、
を具備する請求項２に記憶のＩＳＤＮ端末制御装置。
【請求項４】
前記制御手段は、緊急／異常状態を通報するための呼設定メッセージ送出の際に、前記宅内パスの全Ｂチャンネルが使用中であって、呼設定メッセージ受信中であるとき、当該呼設定メッセージに対する着信処理をした後に切断メッセージを送出する請求項１乃至３に記載のＩＳＤＮ端末制御装置。
【発明の詳細な説明】
【０００１】
【発明の属する技術分野】
本発明はＩＳＤＮ（Integrated Services Digital Network:ディジタル総合サービス網）に接続するＩＳＤＮ端末装置に係わり、特に情報伝送用のＢチャンネルがすべて使用中であっても迅速な緊急通報を可能とするＩＳＤＮ端末装置に関する。
【０００２】
【従来の技術】
火災等の緊急事態、侵入者の侵入等の異常事態の発生を検知し、監視センタに緊急事態あるいは異常事態を通報する通報装置が実用化されている。
このような通報装置は、緊急あるいは異常事態を検知すると監視センタに対する呼設定メッセージを自動的に送出して監視センタとの接続を確立した後に、監視センタへ情報を送出する。
【０００３】
しかし、回線が使用中であれば呼設定メッセージを送出することができず、通信が終了して回線が解放されるまで待たねばならないため、通報が遅れ事態が悪化するおそれがあった。例えば、火災の場合に直ちに通報ができたならば消火できたにも拘わらず、通報が遅れたために被害が拡大するおそれもあった。
この課題を解決するために、この通報装置を従来のアナログ公衆回線に接続した場合には、この通信装置から緊急／異常事態を検知したことを示す信号が出力されたときには公衆回線の直結ループを一時的に開放することによって、強制的に通信を終了させ、回線を解放状態とする端末制御装置が実用化されている。この端末制御装置により回線が解放された後は、通報装置は通常の手順に従って発呼を行ない、接続を確立し、監視センタへ情報を送出することが可能となる。
【０００４】
近年通信速度を改善するために従来のアナログ回線に代えてＩＳＤＮが使用される場合が多いが、ＩＳＤＮの基本インターフェイスは、ユーザ情報を伝送するＢチャンネルが２チャンネル含まれるため、１つのＩＳＤＮ回線で２種類の端末（電話、テレファックス等）を同時に使用することが可能である。従ってＢチャンネルが２つとも同時に使用中である場合は少なく、従来のアナログ回線を使用した場合と比較して監視センタへの通報が遅延する可能性は少ない。
【０００５】
しかしながら、電話だけでなくファクシミリ、パーソナルコンピュータ等電話回線に接続される端末機器も多くなってきており、全Ｂチャンネルが使用中となる機会も多くなってきている。
従って、上記の通報装置をＩＳＤＮに接続した場合でも、通報装置が緊急／異常事態を検知したときに、全Ｂチャンネルが使用中であっても通報装置からの通報を可能とするＩＳＤＮ端末制御装置を使用することが望ましい。
【０００６】
上記課題を解決するための強制回線確保装置がすでに提案されている（特開平６−８５９６０公報参照）。
図１は上記提案に係る強制回線確保装置の概念図であって、監視センタ１１は回線網１２を介してユーザ宅内に設置されるＤＳＵ（Digital Service Unit）１３に接続される。
【０００７】
ＤＳＵ１３からリレイ１４を介して延びる宅内バス１９には、緊急／異常事態を通報する通報装置１５、ＴＡ（Terminal Adaptor）１６を介して電話１７、およびファクシミリ１８が接続されている。
この構成において、電話１７およびファクシミリ１８が使用中であるときに、通報装置１５が緊急／異常事態を検出すると、リレイ１４を動作させて宅内バスを強制的に切離して、回線を解放する。
【０００８】
【発明が解決しようとする課題】
しかしながら、ＤＳＵ１３の下流側で切離した場合には、切離開始から実際に交換器で回線が解放され、通報装置１５から呼設定メッセージを送出できる状態となるまでに数分を要するため、迅速な通報ができず、被害の拡大を防ぐことは困難であった。
【０００９】
また、宅内バスに接続されている端末機器に故障が発生した場合には、故障した端末機器が宅内バスを占有してしまい、通報装置から通報することができなくなる場合がある。
さらに、ＤＳＵは１台しか設置されていないため、ＤＳＵが故障した場合も通報装置からの通報は不可能となる。
【００１０】
本発明は、上記課題に鑑みなされたものであって、通報装置が迅速に確実に緊急／異常事態を送出することのできるＩＳＤＮ端末制御装置を提供することを目的とする。
【００１１】
【課題を解決するための手段】
図２は第１の発明に係るＩＳＤＮ端末制御装置を含む構成図であって、第１の発明に係るＩＳＤＮ端末制御装置（２）は、ＤＳＵ（１３）の上流側に設置されＤＳＵ（１３）と回線網（１２）との接続を “接”あるいは “断”とする接離手段（２１）と、緊急／異常状態を通報するための呼設定メッセージ送出の際にＤＳＵ（１３）とその下流側及び設置される端末機器（１５、１７、１８）とを接続する宅内バス（１９）のすべてのＢチャンネルが使用中であれば接離手段を “断”状態としてＤＳＵ（１３）と回線網（１２）とをいったん切り離した後に接離手段（２１）を “接”状態としてＤＳＵ（１３）を回線網に再接続する制御手段（２２）と、を具備する。
【００１２】
このＩＳＤＮ端末制御装置は、緊急／異常状態を通報する際に全Ｂチャンネルが使用中であれば、ＤＳＵ上流側で回線をいったん切断し回線を解放したのちに呼設定メッセージを送出して緊急／異常事態を通報する。
図３は第２の発明に係るＩＳＤＮ端末制御装置を含む構成図であって、第２の発明に係るＩＳＤＮ端末制御装置（３）は、緊急／異常状態を通報するための通報装置（１５）を含む複数の端末機器が接続される第１のＤＳＵ（１３）とは別に設置され通報装置だけが接続される第２のＤＳＵ（３１）と、第１のＤＳＵ（１３）もしくは第２のＤＳＵ（３１）の上流側に設置されいづれか一方を選択的に回線網に接続する切替手段（３２）と、通報装置（１５）を第１のＤＳＵ（１３）及び第２のＤＳＵのいづれか一方に選択的に接続する第１の接離手段（３３）と、緊急／異常状態を通報するための呼設定メッセージ送出の際に第１のＤＳＵ（１３）と端末機器とを接続する宅内バス（１９）の全Ｂチャンネルが使用中であれば切替手段（３）により第２のＤＳＵ（３１）を回線網（１２）に接続し第１の接離手段（３３）により通報装置（１５）を第２のＤＳＵ（３１）に接続する制御手段（３４）と、を具備する。
【００１３】
このＩＳＤＮ端末制御装置は、緊急／異常状態を通報する際に全Ｂチャンネルが使用中であっても、切替手段により第１のＤＳＵを回線網から切離して第２のＤＳＵを回線網に接続し、第１の接離手段により通報装置を第２のＤＳＵに接続したのちに呼設定メッセージを送出して緊急／異常事態を通報する。
第３の発明に係るＩＳＤＮ端末制御装置は、第２の切替手段は、第２のＤＳＵと通報装置との接続を切り離す第１の接離手段と、第１のＤＳＵと通報装置との接続を切り離す第２の接離手段と、を具備する。
【００１４】
このＩＳＤＮ端末制御装置は、通報装置以外の端末機器の故障により宅内バスが占有されていても、緊急／異常状態は第２のＤＳＵを介して通報される。
第４の発明に係るＩＳＤＮ端末制御装置は、制御手段が、緊急／異常状態を通報するための呼設定メッセージ送出の際に呼設定メッセージ受信中以外の理由で宅内バスの全Ｂチャンネルが使用中であるときに制御を実行するものである。
【００１５】
このＩＳＤＮ端末制御装置は、呼設定メッセージ送出の際に呼設定メッセージ受信中であれば切替手段によるＤＳＵと回線網との切断を行わず、応答信号を送出した後切断メッセージを送出して回線を解放したのちに呼設定メッセージを送出して緊急／異常事態を通報する。
第５の発明に係るＩＳＤＮ端末制御装置は、緊急／異常状態を通報するための呼設定メッセージ送出の際に呼設定メッセージ受信中であるときは制御手段による制御の開始を遅延させる遅延手段をさらに具備する。
【００１６】
第６の発明に係るＩＳＤＮ端末制御装置は、緊急／異常状態を通報するための呼設定メッセージ送出の際に呼設定メッセージ受信中であるときは着信処理を実行して通話状態とした後に前記制御手段に制御の開始を指令する着信処理手段をさらに具備する。
第５および第６の発明に係るＩＳＤＮ端末制御装置は、呼設定メッセージ送出の際に呼設定メッセージ受信中であれば着信処理を行い、いったん通話中としてから切断メッセージを送出し、回線を解放したのちに呼設定メッセージを送出して緊急／異常事態を通報する。
【００１７】
【発明の実施の形態】
図４は第１の発明に係るＩＳＤＮ端末制御装置の実施例を中心とする構成図であって、監視センタ４１が接続される回線網４２には、本発明に係るＩＳＤＮ端末制御装置４４も接続される。
ＩＳＤＮ端末制御装置４４を構成する切替スイッチ４４１の共通端子４４１ｃは回線網４２に直接接続される。そして、切替スイッチ４４１の一方の切替端子４４１ａは第１のＤＳＵ４３が接続され、他方の端子４４１ｂは開放されている。
【００１８】
第１のＤＳＵ４３の下流側から引き出される第１の宅内バス４９は、ＴＡ４６を介して電話４７、およびファクシミリ４８に接続されるだけでなく、制御部４４６のインターフェイス４４６Ｃにも接続される。
制御部４４６はマイクロコンピュータシステムであって、バス４４６ａを中心として、ＣＰＵ４４６ｂ、インターフェイス４４６ｃおよびメモリ４４６ｄから構成される。そして、インターフェイス４４６ｃは通報装置４５、切替スイッチ４４１に接続される。
【００１９】
通報装置４５には火災検出装置あるいは侵入者検出装置（図示せず）が接続されており、火災あるいは侵入者を検出すると通報装置４５は通報要求をインターフェイス４４６ｃを介して制御部４４６に伝送し、制御部４４６は通報要求を受信すると、割り込み処理としてメモリ４４６ｄに記憶されている制御ルーチンを実行する。
【００２０】
図５は第１の制御ルーチンのフローチャートであるが、制御部４４６が動作しない状態においては切替スイッチ４４１によってＤＳＵ４３は回線網４２に接続されている。
ステップ５０１において通報装置４５から緊急又は異常の通報要求が出力されているかを判定し、通報要求が出力されるまで待機している。そして、通報要求が出力されると、肯定判定されてステップ５０２に進む。
【００２１】
ステップ５０２では、宅内バス４９の全Ｂチャンネルが使用中であるかを判定する。すなわち、ＩＳＤＮのＤチャンネルを使用して、監視センタ４１に通報すべく呼設定メッセージを回線網４２に対して送出し、呼設定メッセージに対する解放完了メッセージを網から受信すると全Ｂチャンネルが使用中であると判定しステップ５０３に進む。一方、解放完了メッセージを受信せず呼設定受付メッセージを受信すると否定判定し、直接このルーチンを終了する。図示していないが、その後、通報装置４５と監視センタ４１との間の回線が確立されると、通報装置から緊急情報を送信する。そして、回線を解放し通報を終了するのである。
【００２２】
ステップ５０３では、少なくとも１つのＢチャンネルが呼設定メッセージを受信しているか、すなわち回線網４２から呼出されているかを判定する。そして、少なくとも１つのＢチャンネルが呼設定メッセージを受信しているときは、肯定判定されてステップ５０４に進む。
ステップ５０４では、呼設定メッセージに対する応答メッセージを送出し、更に回線網４２から応答確認メッセージを受信するなどの着信処理をして擬似的に通信状態とした後、切断メッセージを回線網４２へと送出する。その後、解放完了メッセージを回線網４２より受信すると、応答信号として回線網４２に解放完了メッセージを送出する。これにより、Ｂチャンネルが解放され、ステップ５０２に戻る。したがって、通報装置４５でいったん着信処理を実行して通信状態としてから、回線を解放するので、使用中の他のＢチャンネルの通信が切断されないで済むのである。そして、この場合は、ステップ５０２にてＢチャンネルに空きが存在するので、否定判定され緊急または異常通報を行うことができるのである。
【００２３】
なお、呼設定メッセージを受信していないとき、すなわち自局の端末機器である電話４７またはファクシミリ４８から呼設定メッセージを送出しているとき、および電話４７またはファクシミリ４８が通話中であるときはステップ５０５に進み、切替スイッチ４４１により回線を所定時間開放した後再接続して、呼設定メッセージを送出中又は通信中の状態を強制的に終了させ（切離処理）、ステップ５０２に戻る。なお、前記所定時間は回線網４２に含まれる交換機（図示せず）が通話不能となったことを認識することのできる時間とする。そしてこの場合も、Ｂチャンネルに空きが存在するのでステップ５０２で否定判定され、緊急又は異常通報を行うことができる。
【００２４】
図６は第２の制御ルーチンのフローチャートであって、第１の制御ルーチンとは、ステップ５０４に代えてステップ６０１が実施される点が相違するため、以下相違点を中心に説明する。
すなわち、すべてのＢチャンネルが使用中であれば、ステップ５０３で呼設定メッセージを受信しているか、すなわち回線網４２から呼出されているかを判定する。そして呼設定メッセージを受信しているときは肯定判定されてステップ６０１で遅延処理をおこなってステップ５０２に戻る。この遅延処理は、通報装置４５でいったん着信処理を実行して擬似的な通信状態とするためである。したがって、この遅延時間は通報装置４５がいったん着信処理を実行し、さらに切断メッセージを回線網に送出するなどの切離処理が完了するまでに要する時間より長い時間として設定される。
【００２５】
なお、呼設定メッセージを受信していないとき、すなわち自局の端末機器である電話４７またはファクシミリ４８から呼設定メッセージを送出しているとき、および電話４７またはファクシミリ４８が通信中であるときは直接ステップ５０５に進むが、以下の処理は第１の制御ルーチンと同一である。
上記着信処理は通報装置４５で実行されるものとしているが、制御部４４６の中に着信処理機能を含め、ステップ６０１において遅延処理に代えて着信処理を実行してもよい。
【００２６】
この場合は、呼設定メッセージを受信しているときは制御部４４６で着信処理を実行していったん通信中とした後に、ステップ５０５で回線を切断、解放することができる。
上述した第１の発明においては全Ｂチャンネルが使用中であっても短時間で緊急通報可能となるもののＤＳＵは１つしか設置されていないため、端末機器（電話４７またはファクシミリ４８）の少なくとも１つが故障すると、Ｂチャンネルが占有されるなど緊急通報を行うことができない場合がある。
【００２７】
第２の発明は上記課題を改善したものであって、通報不可能となる確率を低減したものである。
図７は第２の発明に係るＩＳＤＮ端末制御装置の実施例を中心とする構成図であって、図４と同一の要素に対しては同一の参照番号を使用する。
ＩＳＤＮ端末制御装置４４を構成する切替スイッチ４４１の共通端子４４１ｃは回線網４２に直接接続される。そして、切替スイッチ４４１の一方の切替端子４４１ａは第１のＤＳＵ４３が接続され、他方の端子４４１ｂは第２のＤＳＵ４４２が接続される。すなわち、切替スイッチ４４１は、第１のＤＳＵ４３と第２のＤＳＵ４４２の一方を回線網４２に選択的に接続するために使用される。
【００２８】
第１のＤＳＵ４３の下流側から引き出される第１の宅内バス４９は、ＴＡ４６を介して電話４７、およびファクシミリ４８に接続されるだけでなく、第２の接離スイッチ４４４の一方の切替端子４４４ａにも接続される。
第２のＤＳＵ４４２の下流側から引き出される第２の宅内バス４４７は、第１の接離スイッチ４４３を介して、制御部４４６のインターフェイス４４６Ｃおよび第２の接離スイッチ４４４の共通端子４４４ｃに接続される。なお、第２の接離スイッチ４４４の他の一方の切替端子４４４ｂには第２の宅内バス４４７の終端抵抗４４５が接続される。
【００２９】
図８は、第１の接離スイッチ４４３の詳細構成図（Ａ）および第２の接離スイッチ４４４の詳細構成図（Ｂ）である。前述したように基本インターフェイスには２つのＢチャンネルを有しており、４本のケーブルで構成されている。
第１の接離スイッチ４４３の４つの共通端子４４３ｃ（ｃ１，ｃ２，ｃ３，ｃ４）は第２のＤＳＵ４４２に接続され、４つの一方の切替端子４４３ａ（ａ１，ａ２，ａ３，ａ４）は第２の宅内バス４４７に接続される。４つの他方の切替端子４４３ｂ（ｂ１，ｂ２，ｂ３，ｂ４）は解放されている。すなわち、第１の接離スイッチ４４３は第２の宅内バス４４７と第２のＤＳＵ４４２とを接続し、切離すために使用される。
【００３０】
第２の接離スイッチ４４４の４つの共通端子４４４ｃ（ｃ１，ｃ２，ｃ３，ｃ４）はインターフェイス４４６ｃを介して第２の宅内バス４４７に接続され、４つの一方の切替端子４４４ａ（ａ１，ａ２，ａ３，ａ４）は第１の宅内バス４９に接続される。４つの他方の切替端子４４４ｂ（ｂ１，ｂ２，ｂ３，ｂ４）のうち、ｂ１とｂ２とは第１の終端抵抗４４５１を介して接続され、ｂ３とｂ４とは第２の終端抵抗４４５２を介して接続される。
【００３１】
すなわち、第２の接離スイッチ４４４で共通端子４４４ｃと一方の切替端子４４４ａとがそれぞれ接続されたときは通報装置４５は第１の宅内バス４９を介して通信可能となり、共通端子４４４ｃと他の一方の端子４４４ｂとがそれぞれ接続されたときは、第２の宅内バス４４７が終端抵抗４４５１および４４５２で終端される。
【００３２】
切替スイッチ４４１、第１の接離スイッチ４４３および第２の接離スイッチ４４４の動作は制御部４４６によって制御される。
すなわちインターフェイス４４６ｃは通報装置４５、切替スイッチ４４１、第１の接離スイッチ４４３および第２の接離スイッチ４４４に接続される。
図９は第３の制御ルーチンのフローチャートであるが、第１の制御ルーチンとはステップ５０５に代えてステップ９０１が実行される点だけが相違する。以下相違点について説明する。
【００３３】
なお、制御部４４６が動作しない状態においては切替スイッチ４４１は共通端子４４１ｃは一方の端子４４１ａに接続され第１のＤＳＵが回線網４２に接続される。第１の接離スイッチ４４３は解放状態にあり、第２の接離スイッチ４４４は共通端子４４４ｃが一方の端子４４４ａに接続され通報装置４５は第１の宅内バス４９に接続される。
【００３４】
すなわち、ステップ５０１、５０２の処理は第一の制御ルーチンと同一の処理を行い、ステップ５０３で呼設定メッセージ受信中でないときと判定されたときはステップ９０１で以下の制御を実行した後、ステップ５０２に戻る。
１．切替スイッチ４４１の共通端子４４１ｃの接続先を、一方の端子４４１ａから他の一方の端子４４１ｂに切り替える。すなわち、回線網４２に接続されるＤＳＵを第１のＤＳＵ４３から第２のＤＳＵ４４２に切り替える。
【００３５】
２．第１の接離スイッチ４４３を “オフ" から “オン" とする。すなわち、第２の宅内バス４４７を第２のＤＳＵ４４２に接続する。
３．第２の接離スイッチ４４４の共通端子４４４ｃの接続先を、一方の端子４４４ａから他の一方の端子４４４ｂに切り替える。すなわち、第２の宅内バス４４７を終端抵抗４４５で終端する。
【００３６】
以上の制御により、通報装置４５は第１の接離スイッチ４４３、第２のＤＳＵ４４２および切替スイッチ４４１を介して監視センタ４１に接続される。
なお呼設定メッセージ受信中であるときはステップ５０４に進み、いったん着信処理をして通話中とした後 "切断メッセージ" を送出してステップ５０２に戻る。
【００３７】
図１０は第４の制御ルーチンのフローチャートであって、第３の制御ルーチンとは、ステップ５０４に代えてステップ６０１が実施される点だけが相違するが、ステップ６０１の処理内容は第２の制御ルーチンですでに説明した通りである。
【００３８】
また、図示していないが第１の宅内バス４９が短絡した場合や、第１のＤＳＵが故障した場合はステップ５０２で呼設定メッセージを回線網４２に送出することができず、解放完了メッセージも受信できない。したがって呼設定メッセージ送出後の所定時間内に解放完了メッセージを受信しなければ、ステップ９０１に進むこととすれば、通報可能となる。
【００３９】
【発明の効果】
第１の発明に係るＩＳＤＮ端末制御装置によれば、緊急／異常状態を通報する際に全Ｂチャンネルが使用中であっても、ＤＳＵ上流側で回線をいったん切断し回線を解放したのちに呼設定メッセージを送出することにより、迅速かつ確実に緊急／異常事態を通報することが可能となる。
【００４０】
第２の発明に係るＩＳＤＮ端末制御装置によれば、緊急／異常状態を通報する際に全Ｂチャンネルが使用中であっても、切替手段により第１のＤＳＵを回線網から切離して第２のＤＳＵを回線網に接続し、第１の接離手段により通報装置を第２のＤＳＵに接続したのちに呼設定メッセージを送出するこよにより、迅速かつ確実に緊急／異常事態を通報することが可能となる。
【００４１】
第３の発明に係るＩＳＤＮ端末制御装置によれば、通報装置以外の端末機器あるいは第１のＤＳＵの故障により宅内バスが占有されている場合であっても第２のＤＳＵを介して緊急／異常状態を通報することが可能となる。
第４の発明に係るＩＳＤＮ端末制御装置によれば、呼設定メッセージ送出の際に呼設定メッセージ受信中であれば切替手段によるＤＳＵと回線網との切断を行うことなく、切断メッセージを送出して回線を解放したのちに呼設定メッセージを送出することにより、迅速かつ確実に緊急／異常事態を通報することが可能となる。
【００４２】
第５および第６の発明に係るＩＳＤＮ端末制御装置によれば、呼設定メッセージ送出の際に呼設定メッセージ受信中であれば着信処理を行い、いったん通話中としてからＤＳＵ上流側で回線を切断し回線を解放したのちに呼設定メッセージを送出することにより、迅速かつ確実に緊急／異常事態を通報することが可能となる。
【図面の簡単な説明】
【図１】従来の強制回線確保装置の概念図である。
【図２】第１の発明に係るＩＳＤＮ端末制御装置を含む構成図である。
【図３】第２の発明に係るＩＳＤＮ端末制御装置を含む構成図である。
【図４】第１の発明に係るＩＳＤＮ端末制御装置の実施例を中心とする構成図である。
【図５】第１の制御ルーチンのフローチャートである。
【図６】第２の制御ルーチンのフローチャートである。
【図７】第２の発明に係るＩＳＤＮ端末制御装置の実施例を中心とする構成図である。
【図８】接離スイッチの詳細構成図である。
【図９】第３の制御ルーチンのフローチャートである。
【図１０】第４の制御ルーチンのフローチャートである。
【符号の説明】
４１…監視センタ
４２…回線網
４３…第１のＤＳＵ
４４…ＩＳＤＮ端末制御装置
４４１…切替スイッチ
４４２…第２のＤＳＵ
４４３…第１の接離スイッチ
４４４…第２の接離スイッチ
４４５…終端抵抗
４４６…制御部
４４７…第２の宅内バス
４５…通報装置
４６…ＴＡ
４７…電話
４８…ファクシミリ
４９…第１の宅内バス
【図１】
0003703602.tif 000002
【図２】
0003703602.tif 000003
【図３】
0003703602.tif 000004
【図４】
0003703602.tif 000005
【図５】
0003703602.tif 000006
【図６】
0003703602.tif 000007
【図７】
0003703602.tif 000008
【図８】
0003703602.tif 000009
【図９】
0003703602.tif 000010
【図１０】
0003703602.tif 000011